(57)【特許請求の範囲】
【請求項１】
巻取パイプ（１２）と、一端を巻取パイプ（１２）に巻取り可能に連結される非長方形のスクリーン（１４）と、スクリーン（１４）の他端部に巻取パイプ（１２）と非平行に取り付けられたウエイト部材（１６）と、スクリーン（１４）の他端部にその一端が互いに離間されて連結された複数のワイヤ（２０）と、ワイヤ（２０）の他端が巻取り・巻解き可能に連結されたワイヤ巻取装置（２２）と、を有するロールスクリーンであって、
前記ウエイト部材（１６）を弾性変形可能なものとし、
該ウエイト部材（１６）を一部のワイヤ（２０）とスクリーン（１４）と共に巻取パイプ（１２）に同時に巻取ることができるようにしたことを特徴とする異形型ロールスクリーン。
【請求項２】
前記ウエイト部材（１６）を、自己形状保持力を持つ薄板状のものとすることを特徴とする請求項１記載の異形型ロールスクリーン。
【請求項３】
前記ウエイト部材（１６）を、ブラインド用スラットとすることを特徴とする請求項２記載の異形型ロールスクリーン。
【発明の詳細な説明】
【０００１】
【発明の属する技術分野】
本発明は、異形窓等に使用されるのに適した非長方形のスクリーンを有する異形型ロールスクリーンに関するものである。
【０００２】
【従来の技術】
従来、この種の異形型ロールスクリーンでは、巻取パイプと、一端を巻取パイプに巻取り可能に連結される非長方形のスクリーンと、スクリーンの他端部に巻取パイプと非平行に取り付けられたウエイト部材と、を有しており、ウエイト部材としては、スクリーンの端部の形状を保持するべくアルミ型材などが使用されることが一般的に行われている。
【０００３】
【発明が解決しようとする課題】
しかしながら、このような従来のロールスクリーンにおいては、スクリーンを巻取パイプに巻取っていくと、ウエイト部材の巻取パイプに元々近い方にある一端部が巻取パイプに接触した時点で、スクリーンはそれ以上巻取れなくなる。そのため、最大限にスクリーンを巻取った状態でも、スクリーンの一部が露出されたままとなっており、見栄えが悪いという問題がある。
【０００４】
本発明は、このような課題を解決するためのもので、異形型ロールスクリーンであっても、完全に巻取パイプにスクリーンを巻取ることができ、見栄えを向上することができる異形型ロールスクリーンを提供することをその目的とする。
【０００５】
【課題を解決するための手段】
前述した目的を達成するために、本発明のうちで請求項１記載の発明は、巻取パイプと、一端を巻取パイプに巻取り可能に連結される非長方形のスクリーンと、スクリーンの他端部に巻取パイプと非平行に取り付けられたウエイト部材と、スクリーンの他端部にその一端が互いに離間されて連結された複数のワイヤと、ワイヤの他端が巻取り・巻解き可能に連結されたワイヤ巻取装置と、を有するロールスクリーンであって、
前記ウエイト部材を弾性変形可能なものとし、
該ウエイト部材を一部のワイヤとスクリーンと共に巻取パイプに同時に巻取ることができるようにしたことを特徴とする。
【０００６】
スクリーンを巻取パイプに巻取っていき、ウエイト部材の巻取パイプに元々近い方にある端部が巻取パイプに接触しても、ウエイト部材は、その接触した端部からスクリーンと共に巻取パイプに巻取られる。こうして、スクリーン全体を完全に巻取ることができる。
【０００７】
ウエイト部材としては、自己形状保持力を持った薄板状のものを使用することができ、例えば、ブラインド用スラットを使用することができる。スクリーンが巻取パイプから引き出されれば、ウエイト部材の弾性復元力及び自己形状保持力により、ウエイト部材は再び元の形状に戻り、スクリーンの他端部の形状を保持する。
【０００８】
【発明の実施の形態】
以下、図面を用いて本発明の実施の形態を説明する。図１ないし図５は本発明に係る異形型ロールスクリーンの実施形態を表す図である。
【０００９】
この異形型ロールスクリーン１０は、台形状をした異形窓Ｗに取り付けられており、異形窓Ｗの一端辺部においてブラケット１１により回転可能に軸支される巻取パイプ１２と、巻取パイプ１２に一端が巻取り可能に連結されるスクリーン１４を有している。巻取パイプ１２は、コイルバネからなる付勢手段を内蔵しており、常時、スクリーン巻取方向に付勢されている。スクリーン１４は全体で台形形状をしており、巻取パイプ１２に対して非平行となったスクリーン１４の他端辺部には、ウエイト部材１６が取り付けられている。ウエイト部材１６は、自己形状保持力を持つ薄板状のもので構成され、図５に示したように、ハトメ１８，１８によって、スクリーン１４と同一面状に一体的に取り付けられる。ウエイト部材１６は、その自己形状保持力によって、スクリーン１４の他端部を伸張した状態に保持することができるだけでなく、弾性変形可能であり、後述のように巻取パイプ１２に巻取可能となっている。具体的には、アルミ製のブラインド用スラットを使用することができ、スラットのように、完全な平坦面ではなく大きな曲率半径を有する円弧状の横断面を持つようにすると、ウエイト部材の剛性が高くなり、好ましい。また、この例に限られず、両面粘着テープ等の他の結合手段によってスクリーン１４とウエイト部材１６を結合することも可能である。
【００１０】
このウエイト部材１６が取り付けられたスクリーン１４の他端部には、複数のワイヤ２０の一端が適宜離間されて取り付けられており、各ワイヤ２０の他端は、異形窓Ｗの他端辺部に設けられたワイヤ巻取装置２２に巻取り、巻解き可能に連結されている。
【００１１】
以上のように構成される異形型ロールスクリーン１０において、その動作を説明する。
【００１２】
図１は、ワイヤ巻取装置２２がワイヤ２０をほとんど完全に巻取った状態を示しており、スクリーン１４は、窓Ｗをほとんど覆う全閉状態となっている。この状態からワイヤ巻取装置２２を駆動して、ワイヤ２０を巻解いていくと、図２に示したように、巻取パイプ１２が巻取方向に回転し、スクリーン１４を巻取っていき、窓Ｗの一部が露出される。さらに、ワイヤ２０を巻解いて巻取最終段階となると、図３に示すように、ウエイト部材１６の一端が巻取パイプ１２まで達する。ウエイト部材１６は薄板状で弾性変形可能となっており、巻取パイプ１２に巻取り可能となっているため、スクリーン１４と共にそのウエイト部材１６の一端から螺旋状に巻取パイプ１２に巻付かれていく。こうして、図４に示すように、完全にスクリーン１４を巻取って全開状態にすることができ、窓Ｗを完全に露出することができる。こうして、スクリーン１４の巻取り残りがなく、全開状態における見栄えを良好とすることができる。ウエイト部材１６が薄板状となっていれば、巻取パイプ１２に巻取られたときにも嵩張ることがない。
【００１３】
反対にワイヤ巻取装置２２を駆動して、ワイヤ２０を巻取っていくと、ウエイト部材１６及びスクリーン１４が巻取パイプ１２により引き出されて窓Ｗを閉じる状態へと移行する。このとき、ウエイト部材１６の弾性復元力により、ウエイト部材１６は元の一直線状に延びた状態となり、スクリーン１４を十分に伸張させた状態にすることができる。
【００１４】
ウエイト部材１６にブラインド用スラットを用いることにより耐久性を持たせることができ、また、既存の部品を使用することで、簡単に構成することができるようになる。
【００１５】
【発明の効果】
以上説明したように、請求項１ないし３記載の発明によれば、ウエイト部材をスクリーンと共に巻取パイプに巻取ることができるようにしたため、スクリーン全開状態にしたときに、異形のスクリーンを最後まで完全に巻取ることができ、見栄えを向上させることができる。
【００１６】
また、請求項２記載の発明によれば、ウエイト部材が巻取パイプに巻取られていない状態では、スクリーンの他端部の形状を保持することができる一方で、巻取パイプに巻取られた状態では嵩張らないようにすることができる。
【００１７】
また、請求項３記載の発明によれば、ブラインド用スラットを用いることにより剛性及び耐久性を持たせることができ、また既存の部品を使用することで、簡単に構成することができる。
【図面の簡単な説明】
【図１】本発明の実施形態を表す異形型ロールスクリーンの全閉状態を表す正面図である。
【図２】図１の異形型ロールスクリーンの巻取初期段階状態を表す正面図である。
【図３】図１の異形型ロールスクリーンの巻取最終段階状態を表す正面図である。
【図４】図１の異形型ロールスクリーンを完全に巻取った全開状態を表す正面図である。
【図５】図１の異形型ロールスクリーンの部分展開斜視図である。
【符号の説明】
１０  異形型ロールスクリーン
１２  巻取パイプ
１４  スクリーン
１６  ウエイト部材
【図１】
0003642992.tif 000002
【図２】
0003642992.tif 000003
【図３】
0003642992.tif 000004
【図４】
0003642992.tif 000005
【図５】
0003642992.tif 000006